(57)【要約】    【課題】集塵袋の口紙において表面側の説明書きを減少させて需要者が混乱することなく簡単に装着することができる集塵袋用口紙を提供すること。    【解決手段】各種電気掃除機に取り付けられる機能を発揮するように構成された口紙であって、上辺となる辺に上下二段の切り取り部、左辺となる辺に上下二段の異なる切欠き若しくは切り取り部、下辺となる辺の下端に他と異なる切欠き若しくは切り取り部を有し、かつ、前記左辺となる辺の上方となる方の切欠き若しくは切り取り部が吸塵口となる円形孔を上下に二分割する二等分線上にあり、右辺となる辺には、吸塵口の中心点に対して前記左辺となる辺の上方となる切欠き若しくは切り取り部と反対となる側で、かつ、前記吸塵口の中心点を通り、上記二等分線と直交する線分を基準として前記左辺の切欠き若しくは切り取り部と略対称となる位置に切欠き若しくは切り取り部を設けた構成としている。    【選択図】            図１
0003103319.tif 000002
【実用新案登録請求の範囲】
【請求項１】
各種電気掃除機に取り付けられる機能を発揮するように構成された口紙であって、上辺となる辺に上下二段の切り取り部、左辺となる辺に上下二段の異なる切欠き若しくは切り取り部、下辺となる辺の下端に他と異なる切欠き若しくは切り取り部を有し、かつ、前記左辺となる辺の上方となる方の切欠き若しくは切り取り部が吸塵口となる円形孔を上下に二分割する二等分線上にあり、右辺となる辺には、吸塵口の中心点に対して前記左辺となる辺の上方となる切欠き若しくは切り取り部と反対となる側で、かつ、前記吸塵口の中心点を通り、上記二等分線と直交する線分を基準として前記左辺の切欠き若しくは切り取り部と略対称となる位置に切欠き若しくは切り取り部を設けた構成としていることを特徴とする集塵袋用口紙。
【考案の詳細な説明】
【技術分野】
【０００１】
この考案は、電気掃除機に装着する交換用の集塵袋用の口紙に関する。
【背景技術】
【０００２】
従来より、電気掃除機に装着する交換用の集塵袋は、各種の形態のものが提供されているが、例えば、特許文献１として示す、特開２０００−２８７８９７号公報に開示された集塵袋は、袋本体と支持板とからなり、支持板には、各社の装着個所に合致させることができるように、支持板の周囲４辺の全てにガイド部若しくは切り取り部が形成された構成のものである。この集塵袋は、各社の電気掃除機に装着する際、装着個所に合致しない不要なガイド部や切り取り部がある場合には、不要な部分を除去して合致するガイド部のみを使用して装着したり、若しくは切り取り部を切り取って残った部分にてガイド部を形成したりすることにより、種々の電気掃除機に装着可能となっていた。
【０００３】
そして、上記集塵袋の支持板では、上記特許文献１中、図６に示すように、表面側には上記のような装着形態に合わせるための種々の説明が詳細に記載されているものであった。
【特許文献１】特開２０００−２８７８９７号公報
【考案の開示】
【考案が解決しようとする課題】
【０００４】
しかしながら、上記集塵袋では、支持板の表面側に種々の表示や説明書きが詳細に書かれているので、需要者が使用する際に不要な表示が多くあるため混乱する原因となり、どのガイド部または切り取り部を用いて装着したら良いのか判断が難しいという問題点があった。
そこで、この考案は、集塵袋の口紙において表面側の説明書きを減少させて需要者が混乱することなく簡単に装着することができる集塵袋用口紙を提供することを目的としている。
【課題を解決するための手段】
【０００５】
上記目的を達成するため、この考案の集塵袋用口紙は、各種電気掃除機に取り付けられる機能を発揮するように構成された口紙であって、上辺となる辺に上下二段の切り取り部、左辺となる辺に上下二段の異なる切欠き若しくは切り取り部、下辺となる辺の下端に他と異なる切欠き若しくは切り取り部を有し、かつ、前記左辺となる辺の上方となる方の切欠き若しくは切り取り部が吸塵口となる円形孔を上下に二分割する二等分線上にあり、右辺となる辺には、吸塵口の中心点に対して前記左辺となる辺の上方となる切欠き若しくは切り取り部と反対となる側で、かつ、前記吸塵口の中心点を通り、上記二等分線と直交する線分を基準として前記左辺の切欠き若しくは切り取り部と略対称となる位置に切欠き若しくは切り取り部を設けた構成としていることを特徴としている。
【０００６】
この構成の集塵袋用口紙は、左辺となる辺の上方となる切欠きは、電気掃除機の装着中心点となる吸塵口に対して、吸塵口の円形孔を上下に二等分する二等分線上に設けているので、口紙の上下方向を考慮することなく、装着可能となる。
また、右辺の切欠き若しくは切り取り部は、吸塵口の中心点における上記二等分線に直交する方向の線分を基準として左辺の切欠き若しくは切り取り部に対して略対称となる位置に設けているので、口紙の左右を考慮することなく装着可能となる。
【０００７】
このため、集塵袋本体に対して口紙を装着する場合において、口紙の上下左右のいずれの方向に対しても対称となる位置に切欠き若しくは切り取り部を設けることができるので、集塵袋の製造時において、集塵袋本体に対する口紙の装着工程を簡素化して生産性を向上させることができると共に、実際の使用時においても、左右方向や上下方向を考慮することなく装着することができるようになり、口紙には装着方法の説明書きが最小限になされているだけであっても方向性を考慮することなく装着することができる。
【０００８】
したがって、この口紙が取付けられた集塵袋であれば、需要者は各社の電気掃除機に合わせて装着する際、最小限の表示、説明書きにしたがって装着すれば良いので電気掃除機の装着部へ簡単に取付けることができる、という特有の効果を奏するものである。
【考案を実施するための最良の形態】
【０００９】
次に、この考案の実施の態様を図面を参照して説明する。図１は、この考案の口紙の実施の態様を示す正面図、図２は背面図である。
この集塵袋用口紙１は、集塵袋本体の口部に取付けて電気掃除機に装着可能な形状として略矩形状の基材１０にて構成されており、基材１０のほぼ中央に吸塵口となる円形の孔１１が形成され、基材１０の周囲の各辺にガイド部又は切り取り部が形成されている。
【００１０】
基材１０の上辺となる辺２０には、横長の略長方形状となる切り取り部２１，２２が上下２段となるよう形成されている。これらの切り取り部２１，２２は、それぞれの下部にミシン目等にて構成された切り目２１ａ，２２ａが形成されていて、１段目の切り取り部２１を切り取ったり、ミシン目２２ａから両方の切り取り部２１，２２を同時に切り取ったりして掃除機の装着個所の形状に適合させることができる。
【００１１】
次に、基材１０の左辺となる辺３０には、略正方形の切り取り部３１と、横長の切り取り部３２とが、上下方向にやや間隔を開けて２段に設けられている。上方となる方の切り取り部３１は、上記上辺２０側の切り取り部２１，２２とを除いた状態で、上下方向の長さを２等分する線分上、すなわち、吸塵口となる孔１１を基材１０の中央に形成しているので、この孔１１を上下に二等分する二等分線ｍ上に形成されることとなる。
【００１２】
したがって、上辺２０の切り取り部２１，２２を除いた状態では、左辺３０の切り取り部３１を使用する場合に、基材１０の上下方向の向きはいずれでも良くなり、方向性を考慮することなく装着することができるようになる。
基材１０の下辺となる辺４０には、略台形状のような切り取り部４１を構成しており、上記の各切り取り部３１，３２と異なる構成に設けられている。したがって、電気掃除機側の種々の装着形態に合致させることができる。
【００１３】
そして、この考案では、基材１０の右辺となる辺５０には、略正方形の切り取り部５１を設けている。この切り取り部５１は、吸塵口の孔１１に対して前記左辺３０の上方となる切り取り部３１の反対側で、かつ、前記吸塵口の孔１１の上記二等分線ｍに対して直交する線分ｎに対して、前記左辺３０の切り取り部３１と略対称となる位置に設けられたものである。したがって、左右の切り取り部３１，５１は、吸塵口の孔１１に対して互いに左右対称位置に設けられているので、当該口紙１は左右の方向性を考慮することなく使用することができる。
【００１４】
当該口紙１は、図３に示すように、集塵袋Ｄの口部に装着されるものであり、集塵袋Ｄに装着され、使用される際には、上記各切り取り部２１，２２、切り取り部３１、切り取り部３２、切り取り部４１、及び切り取り部５１を各社の電気掃除機に対して適合させるための表示Ｓや説明書きＥを設けることとなるが、この考案の口紙１では、上下左右方向に対して方向性を考慮することなく装着が可能となっているので、使用方法の表示や説明書きを必要最低限としたシンプルなものとすることができる。したがって、需要者は多数の説明書きに混乱することなく簡単に装着することができるようになる。
【００１５】
上記実施の態様の口紙１を使用する際は、一般的には集塵袋Ｄの口部に装着されて一体となった製品として出荷、流通するものであり、需要者は、当該集塵袋Ｄを交換用の集塵袋として入手する。そして、需要者個々の電気掃除機の装着形態に合わせて、上記切り取り部２１，２２、切り取り部３１、切り取り部３２、切り取り部４１、または切り取り部５１を取り除いて装着する。その際、機種毎に装着形態が異なるので、どの切り取り部を取り除くかを確認する必要があるが、この実施の態様の口紙１では、上方の切り取り部２１，２２を除いた状態では、左右方向、上下方向ともに装着のための方向性を無くすことができるので、装着のための複雑な確認作業が簡単になり、混乱することなく装着することができるようになるという特有の効果を奏するものである。
【００１６】
したがって、この考案の口紙１では、表面側の表示や説明書きを簡素化することができるため、この口紙を装着した集塵袋を電気掃除機に取付ける際、需要者は口紙の向きに混乱を来すことなく簡単に装着することができ、各種の電気掃除機に対して汎用性の高い口紙を提供することができる。
なお、各切り取り部３１、切り取り部３２、及び切り取り部５１は、この実施の態様では、ミシン目等による切り目にて切り取り可能に構成した例を示しているが、形状としてはやや細くした切欠き状のものとして構成することができる。したがって、電気掃除機の装着形態を考慮して、切り取り部、若しくは切欠きの何れかの形態を採用することは当業者が適宜なし得るものである。
【００１７】
また、切り取り部３１を形成するためのミシン目等は、この考案では、口紙の厚みの半分程度の深さに形成したものであり、裏面側にはこのミシン目等が表れていない態様のものを示している。
【図面の簡単な説明】
【００１８】
【図１】この考案の実施の態様を示す口紙の正面図である。
【図２】この考案の実施の態様を示す口紙の背面図である。
【図３】上記口紙を集塵袋の口部に装着した状態を示す斜視図である。
【符号の説明】
【００１９】
１          口紙
１０        基材
２０        上辺
２１，２２  切り取り部
３０        左辺
３１，３２  切り取り部
４０        下辺
４１        切り取り部
５０        右辺
５１        切り取り部
Ｄ          集塵袋
ｍ          集塵口の孔を上下に二分割する線分
ｎ          集塵口の孔を左右に二分割する線分
【図１】
0003103319.tif 000003
【図２】
0003103319.tif 000004
【図３】
0003103319.tif 000005